(57)【要約】【課題】押しボタンのいずれの部位を押したとしても接点を正常に押し込むことができ、かつヒンジの弾性力を弱めて、ボタンを押したときの感触を向上させた押しボタン構造および車載用音響装置を提供する。【解決手段】パネルに設けた押しボタン１５を押して押しボタン裏側の基板２１上の接点２３を切換可能にした押しボタン構造において、押しボタン１５の一端にヒンジ１９を連結し、このヒンジ１９を押しボタンの裏側で押しボタンの他端に向けて延出し、この他端を越えた位置でパネルに支持した。【選択図】図３
2007311050.tif 000002
【特許請求の範囲】
【請求項１】
パネルに設けた押しボタンを押して押しボタン裏側の基板上の接点を切換可能にした押しボタン構造において、
前記押しボタンの一端にヒンジを連結し、このヒンジを押しボタンの裏側で当該押しボタンの他端に向けて延出し、この他端を越えた位置で前記パネルに支持したことを特徴とする押しボタン構造。
【請求項２】
前記押しボタンを横長に形成し、当該押しボタンの短手方向の一端に前記ヒンジを連結し、このヒンジを押しボタンの裏側で当該押しボタンの短手方向の他端に向けて延出し、この他端を越えた位置で前記パネルに支持したことを特徴とする請求項１に記載の押しボタン構造。
【請求項３】
前記ヒンジおよび押しボタンの幅寸法を略等しくしたことを特徴とする請求項１または２に記載の押しボタン構造。
【請求項４】
前記ヒンジおよび押しボタンを一体成形したことを特徴とする請求項１ないし３のいずれか一項に記載の押しボタン構造。
【請求項５】
前記接点を押しボタンの他端側に配置したことを特徴とする請求項１ないし４のいずれか一項に記載の押しボタン構造。
【請求項６】
前記ヒンジに押しボタンのストロークを規制するストッパを設けたことを特徴とする請求項１ないし５のいずれか一項に記載の押しボタン構造。
【請求項７】
再生装置本体と、その前面に設けたモニタパネルと、モニタパネルの押しボタンとを備え、当該押しボタンを押して押しボタン裏側の再生装置制御基板上の接点を切換可能にした車載用音響装置において、
前記押しボタンの一端にヒンジを連結し、このヒンジを押しボタンの裏側で当該押しボタンの他端に向けて延出し、この他端を越えた位置で前記パネルに支持したことを特徴とする車載用音響装置。
【発明の詳細な説明】
【技術分野】
【０００１】
本発明は、押しボタン裏側の基板上の接点を切換可能にした押しボタン構造および車載用音響装置に関する。
【背景技術】
【０００２】
一般に、車載用音響装置では記録媒体としてのＭＤやＣＤ−ＲＯＭ等を再生するものが知られている。この種のものでは再生装置本体の前面側にモニタパネルを備え、このモニタパネルに複数の押しボタンを配置し、各押しボタンを押して当該押しボタン裏側に配置した再生装置制御基板上の接点を切換可能にしたものが提案されている（例えば、特許文献１参照）。従来の車載用音響装置は、図４Ａに示すように、基板５１上に接点５２を支持し、この接点５２を押動可能に押しボタン５３を配置して構成されている。そして、押しボタン５３は、図４Ｂおよび図４Ｃに示すように、略Ｌ字形状のヒンジ５４を一体的に備えており、このヒンジ５４のヒンジ支点部５４Ａをモニタパネル（不図示）に連結し、押しボタン５３を図４Ａの矢印Ｘ方向に押すことで、基板５１上の接点５２を押動かつ切換可能に構成されている。
【特許文献１】実開平４−７８７３０号公報
【発明の開示】
【発明が解決しようとする課題】
【０００３】
しかし、従来の構成では、ヒンジ５４の長さが短く、しかもヒンジ５４のヒンジ支点部５４Ａ側に接点５２が位置するため、押しボタン５３の一側部５３Ａを押したときに接点５２を正常に押し込むことができても、ヒンジの弾性力が強く、ボタンを押したときの感触が悪いという問題があった。また、他側部５３Ｂを押したときに接点５２を正確に押すことができず、不正常な操作になった。
【０００４】
そこで、本発明の目的は、上述した従来の技術が有する課題を解消し、押しボタンのいずれの部位を押したとしても接点を正常に押し込むことができ、かつヒンジの弾性力を弱めて、ボタンを押したときの感触を向上させた押しボタン構造および車載用音響装置を提供することにある。
【課題を解決するための手段】
【０００５】
本発明は、パネルに設けた押しボタンを押して押しボタン裏側の基板上の接点を切換可能にした押しボタン構造において、前記押しボタンの一端にヒンジを連結し、このヒンジを押しボタンの裏側で当該押しボタンの他端に向けて延出し、この他端を越えた位置で前記パネルに支持したことを特徴とする。
本構成では、押しボタンの一端にヒンジを連結し、このヒンジを押しボタンの裏側で当該押しボタンの他端に向けて延出し、この他端を越えた位置でパネルに支持したため、押しボタンの一端側を押しても他端側を押しても、ヒンジの作用により押しボタンが常に正確に押し込まれ、不正常な操作とならない。
ヒンジを長くすることで、ボタンを押したときの感触が向上し、ヒンジの弾性力が弱くなり耐久性が向上する。
【０００６】
この場合に、押しボタンを横長に形成し、押しボタンの短手方向の一端にヒンジを連結し、このヒンジを押しボタンの裏側で当該押しボタンの短手方向の他端に向けて延出し、この他端を越えた位置でパネルに支持してもよい。また、前記ヒンジおよび押しボタンの幅寸法を略等しくしてもよい。前記ヒンジおよび押しボタンを一体成形してもよい。前記接点を押しボタンの他端側に配置してもよい。前記ヒンジに押しボタンのストロークを規制するストッパを設けてもよい。
【０００７】
また、再生装置本体と、その前面に設けたモニタパネルと、モニタパネルの押しボタンとを備え、当該押しボタンを押して押しボタン裏側の再生装置制御基板上の接点を切換可能にした車載用音響装置において、前記押しボタンの一端にヒンジを連結し、このヒンジを押しボタンの裏側で当該押しボタンの他端に向けて延出し、この他端を越えた位置で前記パネルに支持してもよい。
【発明の効果】
【０００８】
本発明では、押しボタンの一端にヒンジを連結し、このヒンジを押しボタンの裏側で押しボタンの他端に向けて延出し、この他端を越えた位置でパネルに支持したため、押しボタンの一端側を押しても他端側を押しても、ヒンジの作用により押しボタンが常に正確に押し込まれ、不正常な操作とならない。
【発明を実施するための最良の形態】
【０００９】
以下、本発明の一実施形態を、図面に基づいて説明する。
図１において、１０は、車載用音響装置を示し、この車載用音響装置１０は、再生装置本体１１と、その前面に配置されたモニタパネル１３とを備え、モニタパネル１３の周辺部には複数の樹脂製の押しボタン（選択スイッチ）１５が配置されている。モニタパネル１３が開かれると、図示は省略したが、再生装置本体１１の前部にＣＤやＤＶＤ等を挿入自在な挿入口が露出し、この挿入口に挿入されたＣＤやＤＶＤ等が、再生装置本体に入って、記録情報再生が行われる。
【００１０】
本構成では、押しボタン１５が、図２および図３に示すように、樹脂製のスイッチ本体１７と、スイッチ本体１７の背部１７Ａに一体的に形成されたヒンジ１９とを備えている。押しボタン１５は横長の押しボタンであり、押しボタン１５の短手方向の一端に弾性を有したヒンジ１９が連結され、このヒンジ１９が押しボタン１５の裏側で当該押しボタン１５の短手方向の他端に向けて延出し、この他端を越えた位置でモニタパネル１３の裏面に支持されている。このヒンジ１９は、図３Ａおよび図３Ｂに示すように、スイッチ本体１７の背部１７Ａの横幅方向両端から延びた一対の延出部１９Ａと、各延出部１９Ａを横幅方向に連結する連結部１９Ｂとを備えて構成される。
【００１１】
一対の延出部１９Ａは、スイッチ本体１７の背部１７Ａの一端１７Ｂに連結され、背部１７Ａの裏側を通り、背部１７Ａの他端１７Ｃに向けて延出し、他端１７Ｃを越えた位置で連結部１９Ｂにより連結されている。この連結部１９Ｂは、図示は省略したが、モニタパネル１３の裏面に支持されている。
【００１２】
図２Ａおよび図３Ｃ，Ｄは、押しボタン１５と、基板２１上の接点２３との相対位置関係を示している。押しボタン１５の裏側には再生装置制御基板２１が配置され、この基板２１上には接点２３が実装されている。押しボタン１５が押されると、突起１７Ｄにより、その接点２３が押し込まれ、接点が切り換えられる。また、スイッチ本体１７の背部１７Ａの一端１７Ｂ側にはストッパ２５が一体に設けられている。ストッパ２５は、スイッチが押される前は基板２１との間に隙間δを持っており（図３Ｃ）、スイッチが押されると基板２１に当接する（図３Ｄ）。
【００１３】
つぎに、本実施の形態の動作を説明する。
押しボタン１５は、通常時図３Ｃに示すように、ストッパ２５と基板２１との間に隙間δがあいている。押しボタン１５を矢印Ｘ方向に押すと、まず図３Ｄに示すように、押しボタン１５のストッパ２５が基板２１に当接し、さらに押すと、押しボタン１５の突起１７Ｄにより接点２３が押し込まれ、接点が切り換えられる。
【００１４】
本実施の形態では、押しボタン１５の突起１７Ｄ側の一端１５Ａが押された場合、ボタン操作力が直接突起１７Ｄに伝わり、接点２３が正確に押し込まれ、接点が正常に切り換えられる。また、押しボタン１５の他端１５Ｂが押された場合、押しボタン１５のストッパ２５が基板２１に当接し、さらに押すと、ストッパ２５を基準にヒンジ１９の一対の延出部１９Ａが撓み、押しボタン１５の突起１７Ｄが接点２３を正確に押し込み、これにより接点が正常に切り換えられる。
【００１５】
すなわち、本構成では、押しボタン１５の一端１５Ａを押しても他端１５Ｂを押してもヒンジ１９の作用により押しボタン１５が常に正確に押し込まれ、接点切り換え不良などの不正常な操作とならない。
【００１６】
また、本構成では、一対の延出部１９Ａ間の幅が、スイッチ本体１７の背部１７Ａの横幅とほぼ等しく形成されるため、スイッチ本体１７の横方向における、どの部位を押したとしても、ボタン操作力が安定的に突起１７Ｄに伝わり、接点２３が正確に押し込まれ、接点が正常に切り換えられる。延出部１９Ａと連結部１９Ｂが枠状となるため、枠内に接点２３の配置が可能となり、押しボタン１５と接点２３のレイアウトが容易になると共に、これによってもボタン操作力が安定的に突起１７Ｄに伝わり、接点２３が正確に押し込まれ、接点が正常に切り換えられる。
【００１７】
ヒンジ１９を構成する一対の延出部１９Ａが、スイッチ本体１７の背部１７Ａの一端１７Ｂに連結され、背部１７Ａの裏側を通り弾性を有して背部１７Ａの他端１７Ｃに向けて延出するため、ヒンジが長くなり、ボタンを押したときの感触が向上し、ヒンジの弾性力が弱くなり耐久性も向上する。
【００１８】
以上、一実施の形態に基づいて本発明を説明したが、本発明は、これに限定されるものではなく、種々の変更実施が可能である。
【００１９】
車載用音響装置は、運転席のインストルメントパネルのような狭隘な部位に取り付けられるため、一般的にコンパクト化が図られる。従って、押しボタンも比較的小さなものとなり、操作性良好なことが重要である。本構成では、ヒンジを長くしたため、簡易な構成でボタンを押したときの感触が向上し、ヒンジの弾性力が弱くなり耐久性も向上し、操作性良好な押しボタンが提供される。
【図面の簡単な説明】
【００２０】
【図１】本発明の一実施の形態を示す斜視図である。
【図２】Ａは押しボタンと接点の配置を示す図であり、Ｂは押しボタンの側面図、Ｃは押しボタンの平面図である。
【図３】Ａは押しボタンの斜視図であり、Ｂは裏からみた斜視図、Ｃはスイッチが押される前の図、Ｄはスイッチが押された後の図である。
【図４】Ａは従来の押しボタンと接点の配置を示す図であり、Ｂは同押しボタンの側面図、Ｃは同押しボタンの平面図である。
【符号の説明】
【００２１】
１０  車載用音響装置
１１  再生装置本体
１３  モニタパネル
１５  押しボタン
１７  スイッチ本体
１９  ヒンジ
１９Ａ  延出部
１９Ｂ  連結部
２１  基板
２３  接点
２５  ストッパ
【図１】
2007311050.tif 000003
【図２】
2007311050.tif 000004
【図３】
2007311050.tif 000005
【図４】
2007311050.tif 000006